(57)【特許請求の範囲】
【請求項１】
フレームと、
そのフレームに回転自在に設けられる回転軸と、
その回転軸と共に回転してライン上のゴミを掃除するロールブラシと、
使用時に前記ラインの幅方向の外側に配置され、且つ、前記フレームに設けられると共に下部に向かうにつれて前記ロールブラシの毛束の先端付近を前記ラインの幅方向の内側に弾性変形させる傾斜を有する案内部材と、
前記回転軸に連結されたタイヤとからなり、
前記毛束の先端付近は、前記案内部材側に向くと共に前記ラインに触れない状態から、前記案内部材により前記ラインに触れる状態に案内されるものであり、
前記案内部材によって前記ライン側に案内された前記毛束が弾性により復元することにより前記ライン上の前記ゴミを掃き出す、ライン清掃用具。
【請求項２】
前記フレームにハンドルアームを備えている、請求項１記載のライン清掃用具。
【請求項３】
前記タイヤが、前記回転軸の両側に設けられている、請求項１又は２に記載のライン清掃用具。
【発明の詳細な説明】
【技術分野】
【０００１】  テニスコートのライン上にあるゴミを掃き出す清掃用具に関するものである。
【背景技術】
【０００２】  特許文献１、２にはロールブラシを備えたライン清掃用具について開示されている。これらの清掃用具はラインに沿って押し進めることによってロールブラシが回転し、ライン上のゴミを取り除くものである。
また特許文献３にはライン上のゴミを掃き出す清掃具が開示されている。
【先行技術文献】
【特許文献】
【０００３】
【特許文献１】公開実用平成３−１８２１９号公報
【特許文献２】公開実用昭和５６−９６１１８号公報
【特許文献３】特開２０１０−７７６４１号公報
【発明の概要】
【発明が解決しようとする課題】
【０００４】  従来からライン上のゴミを取り除くためには箒等が使用されるが、その場合使用者が、ラインの延びる方向に箒を動かしてゴミを払いながら、体の向きをラインと平行な横向きにして移動しなければならず、煩雑であった。
また、上記特許文献のラインブラシはライン上を同じ方向に回転するだけなので、ゴミを後ろに残す場合があった。さらにラインにブラシを押しつけて掃くため、大型又は重量のある掃除具になる傾向にある。このため保管するためのスペースを必要とし、重量があり移動させにくかった。【０００５】  そこで、本発明は軽量化、縮小化を満たし、且つ、ライン上のゴミを掃き出すことができる清掃用具を提供する。
【課題を解決するための手段】
【０００６】（１）本発明のライン清掃用具は、フレームと、そのフレームに回転自在に設けられる回転軸と、その回転軸と共に回転してライン上のゴミを掃除するロールブラシと、前記フレームに設けられており、且つ、下部に向かうにつれて前記ロールブラシの毛束を内側に弾性変形させる傾斜を有する案内部材と、前記回転軸に連結されたタイヤとからなり、前記案内部材によって内側に案内された毛束が弾力により復元することによりライン上の前記ゴミを掃き出すことを特徴としている。【０００７】（２）このようなライン清掃用具は、前記フレームにハンドルアームを備えているが好ましい。【０００８】（３）また、前記タイヤ及び前記ロールブラシが、前記車軸の両側にそれぞれ設けられているのが好ましい。
【発明の効果】
【０００９】  本発明のライン清掃用具は、簡易な構成でライン上のゴミを掃きだすことができ、そして持ち運びが容易である。
【図面の簡単な説明】
【００１０】
【図１】図１は本発明のライン清掃用具の一実施形態を示す概略図である。
【図２】図２ａはロールブラシの毛束を内側に弾性変形される傾斜を有する案内部材の概略図、図２ｂは案内部材の正面図、図２ｃ、図２ｄ、図２ｅは、それぞれ図２ｂのＡ−Ｏ線断面図、Ｂ−Ｏ線断面図、Ｃ−Ｏ線断面図である。
【図３】図３は図２ｂの案内部材に対応しており、符号Ｓ１〜Ｓ５の位置を示す概略図、図３ｂは図３ａで示す位置における案内部材５の断面形状及び毛の様子を示す概略図である。
【図４】図４は本発明のフレームの他の実施形態を示す概略図である。
【発明を実施するための形態】
【００１１】［１．概略］
＜第１実施形態＞
図１を用いて、ライン清掃用具の概略を説明する。
図１に示すライン清掃用具１は、フレーム２と、フレーム２に回転自在に設けられる回転軸３と、回転軸３と共に回転してライン１ａ（図３参照）上のゴミ（図３参照）を掃除するロールブラシ４と、フレーム２に設けられており、且つ、下部に向かうにつれてロールブラシ４の毛３ａを内側に弾性変形される傾斜を有する案内部材５（図２参照）と、回転軸３に連結されたタイヤ６とを備えている。そして、案内部材５によって内側に弾力的に案内された毛束が復元することによりライン１ａ上のゴミを掃き出すものである。
【００１２】  またライン清掃用具１は、フレーム２にハンドルアーム２ａを備えている。
【００１３】  さらにライン清掃用具１は、タイヤ６及びロールブラシ４が、回転軸３の両側にそれぞれ設けられている。
【００１４】［２．各構成］
（フレーム２）
本実施形態のフレーム２は回転軸３と案内部材５をそれぞれ支える役割を持つ形状をしている。本実施形態ではフレーム２の下部材２ｂの約中心に回転軸３を支軸する軸受けが設けられ、内側には同じく軸受けを有する案内部材５（図２参照）が設けられている。
【００１５】（回転軸３、タイヤ６）
回転軸３はフレーム２に回転自在に設けられ、ロールブラシ４及びタイヤ６部材を連結する部材である。本実施形態の回転軸３は、主にタイヤ６を動力源としており、タイヤ６が回転することによって回転軸３とロールブラシ４が回転する。
【００１６】（ロールブラシ４）
ロールブラシ４は、複数本の毛３ａが生えたベース部１ｂからなる。
【００１７】（ベース部１ｂ）
ベース部１ｂは、回転軸３に連結された円柱状の部材であり、側端面１ｃから毛３ａが生えている。
【００１８】（毛３ａ）
毛３ａは弾性を持っており、毛先に行くにつれ外側に湾曲した形状をしている。
（毛の材質）
例えば、ポリプロピレンやプラスチックなどの弾性を持つ材質を使用する。なおその他、弾性を有する公知の材質のものでもよい。
【００１９】（案内部材５）
図２ａに示すように案内部材５は、毛３ａを内側へと案内するための案内面５ａを有している。その案内面５ａの縁部分は、下方に向かうにつれて内方に突出する。例えば、図２ｂに示すように、Ａ−Ｏ線断面（図２ｃ参照）、Ｂ−Ｏ線断面（図２ｄ参照）、Ｃ−Ｏ線断面（図２ｅ参照）の順で、案内部材５の縁部位の内向きの突出量は次第に大きくなる。Ｃ−Ｏ線断面（図２ｅ参照）に示すように、この断面位置で案内部材５の縁部位が最大に内方へ突出している。この最大の突出量は、ラインの幅のほぼ半分の位置に毛３ａの先端付近を到達させる程度のものである（図３のＳ３参照）。
【００２０】（ライン１ａ）
テニスの場合、ライン１ａの幅は、２５ｍｍから１００ｍｍとなっており、材質はプラスチックで、クレーコートではライン１ａが釘で地面に固定されている。
【００２１】［３．使用方法］
（使用方法）
次いで、図３を用いて、ライン清掃用具１がどのように作用するのかを説明する。図３は図２ｂの案内部材に対応しており、符号Ｓ１〜Ｓ５の位置を示す概略図である。図３ｂは図３ａで示す位置における案内部材５の断面形状及び毛の様子を示す概略図である。ロールブラシ４はＳ１〜Ｓ５の方向に回転している。
【００２２】（工程Ｓ１）
図３ａ及び図３ｂに示すように、Ｓ１の位置にある毛３ａは外側に湾曲している。このためラインに触れることはない。
【００２３】（工程Ｓ２）
この位置から案内部材５の縁部位の内側への突出量が増加していき、それに伴い毛３ａも内側に向き始める。
【００２４】（工程Ｓ３）
毛３ａの先端付近はライン１ａに触れる状態になり、ライン上のゴミをキャッチすることができる。また、この位置で案内部材５の縁部位は最大に内側に突出している。
【００２５】（工程Ｓ４）
案内部材５の縁部位の突出量が減少するため、毛３ａには弾性力により外側に戻る。これによりゴミを外側に掃き出すことができる。
【００２６】（工程Ｓ５）
案内部材５の突出量が無くなる為、毛３ａも外側に湾曲した状態に戻る。
【００２７】［４．その他の実施形態］
図４にフレーム２の他の実施形態を説明する。図に示すフレームは上述したフレーム２と共通する部分は多いので、同じ部分の説明は省略し、異なる部分の説明をする。
図４に示すフレーム７は、Ｙ字を逆にした形状を呈している。逆Ｙ字の二股に分かれている部分７ａ、７ａで回転軸３の両端を回転自在に支持している。
【００２８】［５．まとめ］
（１）本発明のライン清掃用具１は、フレーム２と、そのフレームに回転自在に設けられる回転軸３と、その回転軸３と共に回転してライン１ａ上のゴミを掃除するロールブラシ４と、フレーム２に設けられており、且つ、下部に向かうにつれロールブラシ４の毛３ａを内側に弾性変形させる傾斜を有する案内部材５と、回転軸３に連結されたタイヤ６とからなり、案内部材５によって内側に案内された毛３ａが弾力により復元することによりライン１ａのゴミを掃き出すことを特徴としている。
従来のように掃き出すために毛を地面に押し付けるのでなく、内側に弾性変形させた毛およびその毛の先端付近をライン上に配置し、毛３ａが弾性変形で外側に復元することにより、ライン１ａの内側から外側にゴミを掃き出すことができる。このため押し付けるための必要な重量や大きさを削減でき、軽量化、縮小化することができる。
【００２９】（２）このようなライン清掃用具１は、フレーム２にハンドルアームを備えているで、使用するのが容易である。
【００３０】（３）また、前記タイヤ及び前記ロールブラシが、前記回転軸の両側にそれぞれ設けられているので、左右の毛が内側に湾曲し、ライン上でそれぞれの毛が外側に弾性により復元する。このため左右にほぼ同じ力で掃き出す力が作用するから、ラインに沿って安定して進むことができ、容易に清掃することができる。
【符号の説明】
【００３１】１  ライン清掃用具
１ａ  ライン
２  フレーム
３  回転軸
４  ロールブラシ
５  案内部材
６  タイヤ
７  フレーム
【要約】
【課題】本発明は軽量化と縮小化を満たし、且つ、ライン上のゴミを掃き出すことができる清掃用具を提供する。
【解決手段】フレーム２と、そのフレーム２に回転自在に設けられる回転軸３と、その回転軸３と共に回転してライン上のゴミを掃除するロールブラシ４と、フレーム２に設けられており、且つ、下部に向かうにつれてロールブラシ４の毛束を内側に弾性変形させる傾斜を有する案内部材５と、回転軸に連結されたタイヤ６とからなり、案内部材５によって内側に弾力的に案内された毛束が復元することによりライン上のゴミを掃き出す、ライン清掃用具１。
【選択図】図１【図１】
0006983348.tif 000002
【図２】
0006983348.tif 000003
【図３】
0006983348.tif 000004
【図４】
0006983348.tif 000005